(57)【要約】【課題】資源の再利用性、意匠性、コスト競争力、機械的強度の各々またはその組合せに優れた印刷複合パネルを提供する。【解決手段】その外周下部に鍵型爪部１１ａを有するフレーム１１と薄板上に印刷が施された印刷パネル１２と印刷パネル１２の機械的強度を補強する補強パネル１３とで印刷複合パネル１０を構成する。補強パネル１３の上部には戻り防止用の突起が形成された突起爪１４を有する。フレーム１１、印刷パネル１２および補強パネル１３はネジ１５で相互に固定され、鍵型爪部１１ａと突起爪１４とで被装着体に装着される。【選択図】　図１
2004077965.tif 000002
【特許請求の範囲】
【請求項１】
フレームと、可撓性の印刷パネルと、補強パネルとを有する印刷複合パネルであって、
前記補強パネルは、その表面が湾曲面で構成されるものであり、前記フレームは、前記印刷パネルを前記補強パネルに沿わせるものである印刷複合パネル。
【請求項２】
フレームと、印刷パネルと、補強パネルとを有する印刷複合パネルであって、
前記補強パネルは、強度増強構造を含む印刷複合パネル。
【請求項３】
フレームと、印刷パネルと、補強パネルとを有する印刷複合パネルであって、
前記補強パネルは、その周辺部に接続用の突起部を有するものである印刷複合パネル。
【請求項４】
前記フレームは、金属メッキされたものである請求項３記載の印刷複合パネル。
【請求項５】
フレームと、印刷パネルと、補強パネルとを有する印刷複合パネルであって、
前記補強パネルは、光散乱構造を備えたものまたは非透明物質からなるものである印刷複合パネル。
【請求項６】
前記光散乱構造は、前記補強パネル表面または裏面の凹凸構造、レンズカット構造、または、前記補強パネル内部の気泡、異種物質その他の前記補強パネルを構成する物質とは屈折率の相違する物質をランダムに配置した構造、である請求項５記載の印刷複合パネル。
【請求項７】
フレームと、印刷パネルと、補強パネルとを有する印刷複合パネルであって、
前記フレームは前記補強パネルの周辺部に重なる開口部を備え、
前記補強パネルの前記開口部に重なる部位に着色が施されている印刷複合パネル。
【請求項８】
前記印刷パネルは、透明板に印刷が施されたものである第１の構成、透明板に印刷が施された印刷フィルムを貼り付けた第２の構成、または、第１透明板および第２透明板で単数または複数の印刷フィルムを挟んだ構造である第３の構成、の何れかの構成である請求項１〜７の何れか一項に記載の印刷複合パネル。
【請求項９】
請求項１〜８の何れか一項に記載の印刷複合パネルを備えた遊技装置。
【発明の詳細な説明】
【０００１】
【発明の属する技術分野】
本発明は、印刷複合パネルおよびそれを適用した遊技装置に関する。特に、印刷複合パネルの一部部材の再利用あるいは一部部材の資源としての有効活用に適用して有効な技術に関する。
【０００２】
【従来の技術】
パチスロあるいはパチンコ等の遊技装置の前面には、印刷パネルが備えられる。印刷パネルには通常複数の色合いの画像パターンが重ねて印刷されており、意匠を凝らした図案として遊技者への訴求効果を高める。印刷パネルは、バックライトを備えることによる照明効果とあいまって遊技者にゲームの楽しみを演出する遊技装置の不可欠な構成部材である。
【０００３】
図１１は、一般的な印刷パネルを例示した分解斜視図である。印刷パネル８０はフレーム８１とパネル部材８２とで構成される。フレーム８１およびパネル部材８２は、たとえばプラスチックで構成され、パネル部材８２の表面には印刷が施される。パネル部材８２はたとえば５ｍｍ程度の厚さを持つ透明プラスチックである。パネル部材８２を透明にするのはバックライトを併用した場合に印刷色が鮮明に浮き出ることを意図したものである。パネル部材８２には、透明度が高く、適度な強度が必要なため、アクリル樹脂等が好適に利用される。
【０００４】
フレーム８１は、遊技装置等の被装着体にパネル部材８２を固定する機能を持つ。フレーム８１には、たとえばかぎ型爪部８１ａと戻り防止用の突起を有する突起爪部８１ｂを有する。これら鍵型爪部８１ａおよび突起爪部８１ｂに適合する開口（スリット）を被装着体に形成しておき、その開口に各々の爪部を挿入および引っ掛けることによってフレーム８１を被装着体に固定する。パネル部材８２はフレーム８１と被装着体との間に挟んで配置し、パネル部材８２を含めて被装着体に印刷パネル８０を固定装着する。なお、フレーム８１はその意匠効果を高めるため、表面に金属メッキが施される場合が多い。
【０００５】
【発明が解決しようとする課題】
前記した従来の印刷パネル８０には以下のような問題がある。すなわち、印刷パネル８０の意匠を変更しようとするとき、パネル部材８２を交換することになる。交換した後のパネル部材８２を原料資源として再利用しようとしてもその表面に印刷が施されているため再利用は容易ではない。パネル部材８２を原料資源として再利用するためには印刷された材料を剥離する必要があり、このような剥離作業は一般に困難でかつコストが高くなってしまう。結局パネル部材８２の再利用は燃焼させることによる熱源としての利用程度に制限されてしまう。
【０００６】
また、パネル部材８２の固定はその外周部をフレーム８１で押さえることによって行われるのである程度の機械的強度が必要である。このためパネル部材８２を強度維持に必要な厚さより薄くすることはできず、資源有効利用の観点からも好ましくない。さらに、パネル部材８２にある程度の厚さが必要なことに起因して、パネル部材８２の材料として透明度の高い材料を用いる必要性が生じる。透明度が高くまた機械的強度を満足する材料は一般に高価であり、コスト競争力に劣るという問題がある。
【０００７】
また、印刷パネル８０の意匠性を高めるため、パネル全体を湾曲させたいような場合がある。しかし、前記のとおりパネル部材８２にはある程度の強度が要求されるからパネル全体を湾曲させたいという要求に反する。無理に湾曲させるようなストレスをパネル部材８２に加えると、パネル部材８２の強度が低下し印刷面に甚大な影響を及ぼす懸念もある。予めパネル部材８２を湾曲させて形成するという手段も考え得るが、この場合湾曲面に印刷を施す必要があり印刷が困難になる。
【０００８】
また、パネル部材８２の交換の際には、フレーム８１の突起爪部８１ｂをある程度曲げて被装着体から取り外す必要がある。しかし、前記の通りフレーム８１にはその表面に金属メッキが施される場合が多いので、このような場合フレーム８１の可撓性が低下し、取り外し（突起爪部８１ｂの曲げ）が困難になり易い。無理に曲げた場合にはメッキされた金属箔が剥がれる場合もあり、意匠性を損なうばかりか、剥離した金属箔によって操作者の指に負傷を負わせる可能性もある。
【０００９】
本発明の目的は、資源の再利用性、意匠性、コスト競争力、機械的強度の各々またはその組合せに優れた印刷複合パネルを提供することにある。
【００１０】
【課題を解決するための手段】
以下、本発明の構成その他を説明する。前記課題を解決するため、本発明は以下のような構成を有する。すなわち、第１発明の印刷複合パネルは、フレームと、可撓性の印刷パネルと、補強パネルとを有する印刷複合パネルであって、前記補強パネルは、その表面が湾曲面で構成されるものであり、前記フレームは、前記印刷パネルを前記補強パネルに沿わせるものである。
【００１１】
このような印刷複合パネルによれば、印刷表面を湾曲させる意匠を表現でき、意匠性を高めることが可能になる。なお、このような湾曲した意匠が実現できるのは、従来の印刷パネルを補強パネルと印刷パネル（パネル部材）に分離したことに起因する。つまり機械的強度の機能は補強パネルに担わせて印刷パネルを従来より薄く構成することが可能となったためである。印刷パネルを薄くできるためパネルは可撓性を有し、印刷工程では平面であったものが印刷複合パネルとして装着されるときには補強パネルの表面の湾曲面に沿って湾曲させることができる。印刷パネルは薄いためこのような湾曲を加えてもそのストレスは小さく機械的強度を低下させることはない。そもそも印刷パネルには機械的強度が要求されないので問題が生じない。また、印刷部分への曲げによる影響も限定的である。
【００１２】
ここで、「フレーム」とは印刷パネルを補強パネルに押し付けるとともに被装着体に装着するための枠体である。「印刷パネル」は従来技術で説明したパネル部材８２に相当する。ただし前記のとおり従来のパネル部材より薄く、またその機能として機械的強度が要求されない。「補強パネル」とは印刷パネルに沿って配置される印刷複合パネルの部材であり印刷パネルに機械的強度を与える補助部材である。「印刷パネルの表面」とは印刷複合パネルの前面側の表面をいう。「湾曲面」とは円筒面のように一定の曲率半径で曲面が構成されている場合や楕円柱面のように所定の計算式で曲率が変化する曲面を含む。ただし、滑らかな曲面で表面が構成され、印刷パネルへの機械的な強度を付与できるものであれば特に限定されない。曲面の一部に凹部が形成されたような場合や凹凸面であっても印刷パネルへの機械的な強度を損なうものでなければ湾曲面に含む。「前記印刷パネルを前記補強パネルに沿わせる」とは、印刷パネルの外周を押さえる等の手段により印刷パネルを補強パネルに沿わせることをいう。印刷パネルが前記補強パネルに沿う手段である限り印刷パネルの外周を押させる場合に限らず、どのような手段でも良い。また、「補強パネルに沿う」とは全面が沿うことを要求するものではない。一部しか沿っていない場合であっても、補強パネルが印刷パネルの強度を補強する限り「沿う」の概念に含める。
【００１３】
第２発明の印刷複合パネルは、フレームと、印刷パネルと、補強パネルとを有する印刷複合パネルであって、前記補強パネルは、強度増強構造を含む印刷複合パネルである。このような印刷複合パネルによれば、補強パネルに強度補強構造を含むため少ない材料で所定の強度が得られ、コスト競争力のある印刷複合パネルを実現できる。ここで「強度増強構造」とは平面あるいは湾曲面に強度を付与するような機械的構造をいう。たとえばリブを含む構造、格子構造、ハニカム構造等を例示できる。
【００１４】
第３発明の印刷複合パネルは、フレームと、印刷パネルと、補強パネルとを有する印刷複合パネルであって、前記補強パネルは、その周辺部に接続用の突起部を有するものである。また、この場合フレームに金属メッキが施されたものであっても良い。このような印刷複合パネルでは被装着体に装着するための突起部（たとえば従来技術で述べた突起爪部８１ｂ）をフレームではなく補強パネルに有する。このため、接続用の突起部はフレームから分離されフレームに金属メッキを施したとしても印刷複合パネルを取り外す際には金属メッキされた部分を曲げる必要がない。この結果、印刷複合パネルの被装着体からの取り外しが簡単になり、かつ金属メッキがされている場合でもその剥がれを気にする必要がない。なお、「接続用の突起部」は前記した通りであるが、例示した突起爪部８１ｂのような構造には限られないことは勿論である。
【００１５】
第４発明の印刷複合パネルは、フレームと、印刷パネルと、補強パネルとを有する印刷複合パネルであって、前記補強パネルは、光散乱構造を備えたものまたは非透明物質からなるものである。このような印刷複合パネルによれば、補強パネルを均一な面光源として作用させることができる。また、被透過物質とすることにより印刷パネルの背景色を白色にすることが可能となり印刷パネルへの印刷色から白色を省略することが可能となる。なお、従来の印刷パネルでは、チヂミ印刷と称される特殊な印刷手法が採用される場合があった。このチヂミ印刷とは印刷面に縮み様の凹凸を与えて光を散乱させる作用が存在する。本発明において補強パネルに光散乱構造を備えることによって従来のチヂミ印刷と同様の光散乱作用を与えることが可能となるため、チヂミ印刷を省略することも可能となる。
【００１６】
なお、「非透明物質」とは本明細書において、波長５５５ｎｍの光（緑色）を用いた垂直入射条件において反射を含む光透過率の測定した場合に、その透過率が９０％以下である物質をいう。また、「光散乱構造」としては、前記補強パネル表面または裏面の凹凸構造、レンズカット構造、または、前記補強パネル内部の気泡、異種物質その他の前記補強パネルを構成する物質とは屈折率の相違する物質をランダムに配置した構造、を例示できる。
【００１７】
第５発明の印刷複合パネルは、フレームと、印刷パネルと、補強パネルとを有する印刷複合パネルであって、前記フレームは前記補強パネルの周辺部に重なる開口部を備え、前記補強パネルの前記開口部に重なる部位に着色が施されているものである。このような印刷複合パネルによれば前記開口部にイルミネーション的な効果を与えて被装着体全体の意匠性を高めることができる。なお、ここで「補強パネルの周辺部」とは、補強パネルを正面から見た場合の上下左右の周辺を言うが、特に印刷パネルがその間に挟まれていないフレームと補強パネルとが直接接するあるいは離間して相対する領域をいう。たとえばフレームが印刷複合パネルの上下面あるいは側面に回り込んで形成されているような場合、このような回り込みの部分が該当する。また「着色」とは補強パネルを構成する材料の全体あるいは開口部に該当する部分の材料に着色を施す場合のほか、開口部に該当する部分にカラーフィルム等の着色部材あるいは塗料等の着色材料を貼付または塗布する場合を含む。
【００１８】
なお、前記第１〜第５の印刷複合パネルにおいて、前記印刷パネルは、透明板に印刷が施されたものである第１の構成、透明板に印刷が施された印刷フィルムを貼り付けた第２の構成、または、第１透明板および第２透明板で単数または複数の印刷フィルムを挟んだ構造である第３の構成、の何れかの構造とすることができる。また、これら印刷複合パネルは特に遊技装置に適用して好適である。
【００１９】
【発明の実施の形態】
以下、本発明の一実施形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【００２０】
（実施の形態１）
図１は、本発明の一実施の形態である印刷複合パネルの一例を示した分解斜視図である。本実施の形態の印刷複合パネル１０はフレーム１１、印刷パネル１２、補強パネル１３を有する。
【００２１】
フレーム１１はその中心に印刷面が見えるように開口を有し、周辺で印刷パネル１２を押さえるようにした枠構造である。フレーム１１の底部には被装着体に固着するための鍵型爪１１ａが形成されている。フレーム１１はプラスチック等の樹脂で構成され、その表面には意匠性を高める金属メッキが施される。
【００２２】
印刷パネル１２は、その表面に印刷が施されるパネル部材である。印刷パネル１２は通常透明度の高いアクリルやポリカーボネート等の比較的高価なプラスチックで構成されるが、本実施の形態では強度補強のための補強パネル１３が存在する。このため、印刷パネル１２の厚さを薄くすることができる。また印刷パネル１２を薄くできるため高価なアクリルを用いる必要がなく、透明度の低い安価な材料を採用できる。たとえばポリエチレン、ポリスチレン、ＡＳ樹脂、ＡＢＳ樹脂、ポリエチレンテレフタレート、塩化ビニル等を薄く構成してある程度の光透過率が確保できる場合にはこれを採用しても良い。また、印刷パネル１２は薄く出来るため透過率は低いが耐衝撃性に優れるような材料を採用できる。印刷パネル１２の厚さは材料に依存するものの１ｍｍ程度あるいはそれ以下まで薄くすることが可能である。仮に印刷パネル１２を交換した場合であっても燃焼用材料として処分する材料の量が少なく、環境問題に対する適応性が高い。
【００２３】
補強パネル１３は、印刷パネル１２を機械的に補強する部材である。補強パネルには印刷パネル１２が交換される場合であっても続けて利用することが可能である。よって補強パネル１３には比較的高価な材料の使用が許容される。たとえばアクリル、ポリカーボネート等透過率および機械的強度に優れる材料を用いることができる。一方、補強パネル１３は完全な透明にする必要がないので安価な材料を用いることも可能である。たとえばポリスチレン、ポリプロピレン、ＡＢＳ樹脂等が使用できる。また、補強パネル１３の設計においては光透過率の要件が緩和されるので耐衝撃性の強い材料を選択できる。このため補強パネル１３をより薄く構成することができる。逆に肉厚にして材料的な強度を増加させたい場合には、材料樹脂内にガスや発泡剤を導入し、使用材料を少なくするとともに折り曲げ等に対する強度を増すことができる。また、補強パネル１３には印刷やメッキが施されない。このため仮に印刷複合パネル１０の全体が使用されなくなっても補強パネル１３を原料資源として再生利用することが可能である。なお、補強パネル１３は印刷パネル１２を補強する機能を主眼とするが、フレーム１１の補強をも兼ねることが可能である。
【００２４】
このように本実施の形態の印刷複合パネルでは印刷が施される印刷パネル１２とそれを機械的に補強する補強パネル１３とに分離したので、それらをリサイクルする場合、より環境に良いとされる原料資源としてのリサイクルに回す割合が高くなっている。このため環境問題適応性に優れた印刷複合パネルを実現できる。
【００２５】
ところで、補強パネル１３の上部には被装着体に固着するための突起爪１４が形成されている。従来突起爪はフレームに形成されていたためフレームに金属メッキされると同時に突起爪にも金属メッキが施されていた。しかし、本実施の形態では突起爪１４には金属メッキが施されないので、爪部に金属メッキされることに起因する問題が回避できる。
【００２６】
上記したフレーム１１、印刷パネル１２および補強パネル１３はネジ１５によって相互に固定され組み立てられる。なお、図中ネジは１箇所にのみ示した。他にも３箇所程度ネジ止めされるが図示を省略している。
【００２７】
図２は組み立てられた状態の印刷複合パネル１０を示した断面図である。バックライト１６を備えることにより印刷パネル１２に印刷された図柄が鮮明に表示される。なお、印刷パネル１２への印刷面は補強パネル１３の側とすることにより印刷パネル１２によって印刷面を保護し傷等の発生による意匠性の低下を防止できる。
【００２８】
図３は、パチスロ遊技装置に本実施の形態の印刷複合パネルを適用した例を示す正面図である。パチスロ遊技装置１の下側正面に印刷複合パネル１０をはめ込んで適用できる。
【００２９】
（実施の形態２）
本実施の形態では実施の形態１における補強パネル１３の変更例を説明する。図４は、本発明の印刷複合パネルに適用可能な補強パネルの他の例を示した斜視図および一部断面図である。図４において右側は斜視図であり、左側は前記斜視図における上部部分の一部断面図である。
【００３０】
本実施の形態の補強パネル２３は、正面側に平面パネル部分を有し、裏面側にリブ２３ａを有する。補強パネル２３の上部には突起爪１４同様の爪２４が形成されている。リブ２３ａは補強パネル２３の強度を補強する構造であり、リブ２３ａを含めた厚さと同じ肉厚の平面パネルと同程度の強度を実現できる。このような補強パネル２３によれば、所定の強度をより少ない材料で実現することが可能である。これにより材料費が少なくて済むとともに、資源を節約する効果もある。
【００３１】
なお、図４に示す例では格子状のリブ２３ａを例示したが、直線状のリブであっても良い。また、図４の例では平面パネルにリブが形成された例を示したが、リブに相当する構造（たとえば格子やハニカム構造）が実質的に平面を構成する場合には、平面パネルは必須ではない。すなわち平面パネルのない強度補強構造（格子やハニカム等）のみによって補強パネルを構成できる。
【００３２】
（実施の形態３）
本実施の形態では実施の形態１における補強パネルのさらに他の変更例を説明する。図５（ａ）は本発明の印刷複合パネルに適用可能な補強パネルのさらに他の例を示した部分平面図および一部断面図である。
【００３３】
本実施の形態の補強パネル３３は、その外形については実施の形態１の補強パネル１３と同様である。図５（ａ）の左側に示すのは補強パネル３３の平面パネル部分の表面（または裏面）を示した平面図である。また、図５（ａ）の右側に示すのは同図左側平面図のＡ−Ａ線断面図である。図示するように補強パネルの平面パネル部分には半円形の凹凸３３ａ（所謂レンズカット）が形成されている。このような凹凸３３ａは補強パネル３３を透過する光を散乱させる効果がある。バックライトとして点光源あるいは線光源を用いる場合、印刷パネル部分での光の照度は場所による分布を有する。本実施の形態の補強パネル３３の凹凸３３ａは、光散乱によってこれら照度の分布を緩和し、印刷パネル面における照度をより面光源に近い照度分布に近づける効果がある。これにより印刷パネルを均一に照らしてその意匠性を高めることが可能になる。
【００３４】
なお、光散乱を利用した照度分布の均一化は図５（ｂ）に示すような、所謂ダイヤカットによっても実現できる。図５（ｂ）の左側に示すのは補強パネル４３の平面パネル部分にダイヤカットを施した場合の平面図である。図５（ｂ）の右側に示すのは同図左側平面図のＢ−Ｂ線断面図である。図示するように補強パネルの平面パネル部分にはダイヤ状の凹凸４３ａが形成されている。このような構造でも前記同様の効果が得られる。
【００３５】
また、前記図示により例示した構造に限らず、任意の表面凹凸構造によって光散乱を生じさせることが可能である。さらに、補強パネル内部の気泡、補強パネルを構成する物質とは屈折率の相違する異種物質を内部に有する構造によっても同様の効果を得ることが可能である。
【００３６】
なお、光散乱とは別の物理現象ではあるが、光透過率を制限することによっても類似した効果が期待できる。すなわち補強パネルを半透明物質あるいは非透明物質で構成すれば、点光源あるいは面光源の照度分布を緩和できる。ここで非透明物質としては白濁したプラスチック（白色プラスチック）等を例示できる。白色プラスチックを用いる場合には、印刷パネルの白色印刷を省略することが可能になるという加重した効果を得ることができる。ところで本明細書では前記したとおり非透明物質を次のように定義する。垂直入射の波長５５５ｎｍの光を用いて物質の反射を含む光透過率を測定した場合その透過光強度が入射光強度の９０％以下である場合にその物質を非透明物質と定義する。
【００３７】
（実施の形態４）
本実施の形態では、実施の形態１で例示した印刷複合パネル１０よりも意匠性の高い印刷複合パネルを例示する。図６は本発明のさらに他の実施の形態である印刷複合パネルの一例を示した分解斜視図および断面図である。
【００３８】
本実施の形態４の印刷複合パネル５０は、フレーム５１、印刷パネル５２、補強パネル５３を有する。印刷パネル５２は実施の形態１の印刷パネル１２と同様である。本実施の形態の補強パネル５３はその前面５３ａが図示するように湾曲している。そして、フレーム５１の周辺部（印刷パネル５２を押さえる部分）も補強パネル５３に適合するように湾曲させている。なお、補強パネル５３は実施の形態１の突起爪部１４と同様の突起爪部５４を有する。
【００３９】
このように補強パネル５３の前面およびフレーム５１の外周部を湾曲させるため、平面状の印刷パネル５２を補強パネル５３の前面およびフレーム５１に合わせて湾曲させることができる。このように印刷パネル５２の湾曲が可能なのは印刷パネルを薄く構成できるためであり、このような湾曲によって印刷複合パネル５０の意匠性を高めることが可能になる。なお、印刷パネル５２は自然状態では平面であり印刷複合パネルに組み込んだ後に湾曲させるため、印刷工程におけるデメリットは無く湾曲による意匠性を得ることができる。また本実施の形態では印刷パネル５２はそもそも薄く構成されているので、湾曲によるストレスは少ない。一般にストレスを加えた状態のプラスチックは耐薬品性等に劣る場合が多いが、本実施の形態の印刷パネル５２ではストレスが小さい。このため印刷パネル５２が洗浄液等薬品を含む液体で払拭等される場合でも薬品によって劣化することが少なく、耐薬品性に優れる印刷複合パネルを構成できるといえる。補強パネル５３には印刷は施されないので補強パネル５３は湾曲した形成品として制作が可能である。
【００４０】
以上、本発明者によってなされた発明を発明の実施の形態に基づき具体的に説明したが、本発明は前記実施の形態に限定されるものではなく、その要旨を逸脱しない範囲で種々変更することが可能である。
【００４１】
たとえば、前記した突起爪を補強パネルに有さない（つまり従来どおりフレームに突起爪を形成する）構成を前記実施の形態の各々に適用することが可能である。このような場合には突起爪の曲げ容易性が得られず、フレームに金属メッキが施された場合のデメリットが残存するがその他の効果は得られる。
【００４２】
また、前記した実施の形態２のリブ等補強構造を実施の形態３や実施の形態４の構成に適用することが可能である。さらに、実施の形態２のリブ等補強構造あるいは実施の形態３の光拡散構造または非透過物質の構成を実施の形態５の構成に適用することが可能である。
【００４３】
また、上記実施の形態では何れも補強パネルによって印刷複合パネルの機械的な強度が担保される。よって、図７に示すように、補強パネル６３の下部等にＬ字部（断面としてみた場合にＬ字型に見える部分）を形成し、この部分に該当するフレーム６１に開口６４を設け、この開口６４に該当する補強パネル６３の部位に着色等の付加的な工夫を施すことが可能である。このような付加的な工夫を行えば、たとえば図３に示すパチスロ遊技装置に図７に示す印刷複合パネルを適用した場合メダル払出口に着色した光を照射し、イルミネーション的な演出効果を発生することができる。なお、開口は下部のみならず上部、左右部（側辺部）に形成することも可能である。また、開口に該当する補強パネルの部位はＬ字型である必要は無く、図８に示すように、開口６７に該当する補強パネル６６の部位を斜め下方に伸ばしたような形状にすることが出来る。さらに、図９に示すように開口７０を前面に形成することも可能である。
【００４４】
また、前記した実施の形態では印刷パネルとして１枚板のパネルを例示した。しかし、印刷パネルとして２枚の板とこの２枚の板に挟んで配置される印刷フィルムの複合物を適用することも可能である。印刷フィルムを用いる場合には、たとえばフィルムを複数枚で構成し、１枚のフィルムには何も印刷されていない透明な領域を形成しておき、この透明領域に相当する部分だけ印刷された別のフィルムを重ねて適用することができる。このように複数枚のフィルムで印刷領域の全体が構成されるようにしておけば、適宜特定の印刷フィルムを取り換えて場所、時間、状況に応じた印刷複合パネルの意匠に変更できる。さらに、透明パネルに印刷フィルムを貼付して印刷パネルとすることもできる。
【００４５】
また、前記した印刷複合パネルはパチスロ遊技装置以外の遊技装置に適用することができるのは勿論であり、さらに、図１０に示すような自動販売機７５等各種の被装着体に適用できることは言うまでもない。
【００４６】
なお、前記実施の形態では、鍵型爪部１１ａがフレームに形成されている例を説明したが、鍵型爪部は補強パネルの下部に形成されても良い。また、突起爪部および鍵型爪部は各々補強パネルの上部およびフレームまたは補強パネルの下部に形成される必要はなく、側辺部に形成されても良い。また、鍵型爪部と突起爪部とを入れ替えても良く、全ての爪部を突起爪部としても良い。
【発明の効果】
本発明によれば、資源の再利用性、意匠性、コスト競争力、機械的強度の各々またはその組合せに優れた印刷複合パネルを提供できる。
【図面の簡単な説明】
【図１】本発明の一実施の形態である印刷複合パネルの一例を示した分解斜視図である。
【図２】組み立てられた状態の印刷複合パネル１０を示した断面図である。
【図３】パチスロ遊技装置に本発明の一実施の形態である印刷複合パネルを適用した例を示す正面図である。
【図４】本発明の印刷複合パネルに適用可能な補強パネルの他の例を示した斜視図および一部断面図である。
【図５】（ａ）および（ｂ）は本発明の印刷複合パネルに適用可能な補強パネルのさらに他の例を示した部分平面図および一部断面図である。
【図６】本発明のさらに他の実施の形態である印刷複合パネルの一例を示した分解斜視図および断面図である。
【図７】本発明の印刷複合パネルの他の例を示した断面図である。
【図８】本発明の印刷複合パネルのさらに他の例を示した断面図である。
【図９】本発明の印刷複合パネルのさらに他の例を示した断面図である。
【図１０】自動販売機に本発明の印刷複合パネルを適用した例を示した斜視図である。
【図１１】一般的な印刷パネルを例示した分解斜視図である。
【符号の説明】
１…パチスロ遊技装置、１０，５０…印刷複合パネル、１１，５１，６１，６５，６８…フレーム、１１ａ…鍵型爪（鍵型爪部）、１２，５２，６２…印刷パネル、１３，２３，４３，５３，６３，６６，６９…補強パネル、１４，２４，５４…突起爪（突起爪部）、１５…ネジ、１６…バックライト、２３ａ…リブ、３３ａ，４３ａ…凹凸、５３ａ…前面、６４，６７，７０…開口、７５…自動販売機、８０…印刷パネル、８１…フレーム、８１ａ…鍵型爪部、８１ｂ…突起爪部、８２…パネル部材。
【図１】
2004077965.tif 000003
【図２】
2004077965.tif 000004
【図３】
2004077965.tif 000005
【図４】
2004077965.tif 000006
【図５】
2004077965.tif 000007
【図６】
2004077965.tif 000008
【図７】
2004077965.tif 000009
【図８】
2004077965.tif 000010
【図９】
2004077965.tif 000011
【図１０】
2004077965.tif 000012
【図１１】
2004077965.tif 000013